(57)【要約】【課題】窓ガラスの温度の変化に温度検出センサが対応できないような状況であっても窓ガラスが曇らないようにする。【解決手段】外気温度検出センサの検出結果に基づいて外気温度の変化を得る。外気温度の変化が所定の大きさを超えた場合には、外気温度の変化が所定の大きさ以下の場合に比べて、内気循環量の上限が低くなるように内外気切替ダンパを制御する。【選択図】図１２
2019099045.tif 000002
【特許請求の範囲】
【請求項１】
車室内の空気を導入して車室内に循環させる内気導入口と、車室外の空気を導入する外気導入口とが形成された送風ケーシングと、
上記送風ケーシングに設けられ、上記内気導入口及び上記外気導入口を開閉する内外気切替ダンパと、
上記内外気切替ダンパを駆動する内外気切替ダンパ駆動手段と、
上記車室内に配設され、該車室内における窓ガラスの温度を検出する窓ガラス温度検出センサと、
上記内外気切替ダンパ駆動手段を制御する制御装置とを備え、
上記制御装置は、上記窓ガラス温度検出センサの検出結果に基づいて、上記窓ガラスが曇り易い場合には外気導入量が増える方向に上記内外気切替ダンパを作動させるべく上記内外気切替ダンパ駆動手段を制御し、一方、上記窓ガラスが曇り難い場合には内気循環量が増える方向に上記内外気切替ダンパを作動させるべく上記内外気切替ダンパ駆動手段を制御する内外気混入モードを選択可能に構成された車両用空調装置において、
上記車両用空調装置は、外気温度を検出する外気温度検出センサを備え、
上記制御装置は、上記外気温度検出センサの検出結果に基づいて外気温度の変化を得て、外気温度の変化が所定の大きさを超えた場合には、外気温度の変化が所定の大きさ以下の場合に比べて、内気循環量の上限が低くなるように上記内外気切替ダンパ駆動手段を制御するように構成されていることを特徴とする車両用空調装置。
【請求項２】
請求項１に記載の車両用空調装置において、
上記制御装置は、上記外気温度検出センサの検出結果に基づいて外気温度低下率を算出し、算出した外気温度低下率が所定の閾値を超えた場合には、外気温度低下率が所定の閾値以下の場合に比べて、内気循環量の上限が低くなるように上記内外気切替ダンパ駆動手段を制御するように構成されていることを特徴とする車両用空調装置。
【請求項３】
請求項２に記載の車両用空調装置において、
上記制御装置は、外気温度低下率が大きくなればなるほど内気循環量の上限が低くなるように上記内外気切替ダンパ駆動手段を制御することを特徴とする車両用空調装置。
【請求項４】
請求項２または３に記載の車両用空調装置において、
上記制御装置は、上記外気温度検出センサの検出結果に基づいて外気温度が低くなればなるほど内気循環量の上限が低くなるように上記内外気切替ダンパ駆動手段を制御することを特徴とする車両用空調装置。
【請求項５】
請求項２から４のいずれか１つに記載の車両用空調装置において、
上記制御装置は、上記内外気混入モードが選択されているときに、上記窓ガラス温度検出センサで検出された窓ガラスの温度と、上記外気温度検出センサにより検出された外気温度との差が所定値未満である場合には、内気循環量が増えるように乾き補正制御を行うことを特徴とする車両用空調装置。
【請求項６】
請求項５に記載の車両用空調装置において、
上記制御装置は、外気温度の変化が所定の大きさを超えた場合には、乾き補正制御を禁止することを特徴とする車両用空調装置。
【請求項７】
請求項２から６のいずれか１つに記載の車両用空調装置において、
上記制御装置は、上記内外気混入モードが選択されている場合、上記窓ガラス温度検出センサで検出された窓ガラスの温度と、上記外気温度検出センサにより検出された外気温度との差が所定値以上であると、外気導入量が増えるように湿り補正制御を行うことを特徴とする車両用空調装置。
【請求項８】
請求項７に記載の車両用空調装置において、
上記制御装置は、外気温度の変化が所定の大きさを超えた場合には、湿り補正制御を実行することを特徴とする車両用空調装置。
【請求項９】
請求項２から８のいずれか１つに記載の車両用空調装置において、
上記制御装置は、現在外気温度平均値と過去外気温度平均値とを算出し、現在外気温度平均値と過去外気温度平均値との差に基づいて外気温度低下率を算出するように構成されていることを特徴とする車両用空調装置。
【請求項１０】
請求項９に記載の車両用空調装置において、
上記制御装置は、車両のイグニッションがＯＦＦからＯＮにされた時点からの経過時間が第１所定時間未満である場合には、その時間内の外気温度の平均値を現在外気温度平均値とするように構成されていることを特徴とする車両用空調装置。
【請求項１１】
請求項１０に記載の車両用空調装置において、
上記制御装置は、車両のイグニッションがＯＦＦからＯＮにされた時点からの経過時間が上記第１所定時間を超え、かつ、上記第１所定時間よりも長い第２所定時間未満である場合には、上記第１所定時間内の外気温度の平均値を過去外気温度平均値とするように構成されていることを特徴とする車両用空調装置。
【請求項１２】
請求項１１に記載の車両用空調装置において、
上記制御装置は、車両のイグニッションがＯＦＦからＯＮにされた時点からの経過時間が第１所定時間未満である場合には、車両のイグニッションがＯＦＦからＯＮにされた時点の外気温度を過去外気温度平均値として使用するように構成されていることを特徴とする車両用空調装置。
【発明の詳細な説明】
【技術分野】
【０００１】
本発明は、例えば自動車等に搭載される車両用空調装置に関し、特に、車室外の空気と車室内の空気とを空調風として同時に導入して温度調整する構造の技術分野に属する。
【背景技術】
【０００２】
一般に、車両用空調装置には、車室内の空気（内気）と車室外の空気（外気）を選択して空調用空気として導入するための内外気切替装置が設けられている。内外気切替装置は、内気を導入する内気導入口と外気を導入する外気導入口とが形成された送風ケーシングを備えている。外気導入口は、車体にカウル等に形成された開口部を介して車室外と連通している。送風ケーシング内に、内気導入口と外気導入口を開閉する内外気切替ダンパが設けられている。導入された空調用空気は冷却用熱交換器や加熱用熱交換器等によって温度調節された後、デフロスタ吹出口、ベント吹出口、ヒート吹出口の内、選択された吹出口から車室に吹き出すようになっている。
【０００３】
特許文献１、２の車両用空調装置は内外気切替ダンパを制御することにより、内気を導入して温度調節した後、車室内に供給する内気循環モードと、外気を導入して温度調節した後、車室内に供給する外気導入モードと、内気及び外気の両方を導入して温度調節した後、車室内に供給する内外気混入モードとの３つのインテークモードに切り替えることができるように構成されている。そして、車室内外の状態（車室内温度、外気温度、日射量）と乗員が設定した設定温度とに基づいてインテークモード、吹出モード、風量、吹出温度等を自動で設定するオートエアコン制御が行われる。
【０００４】
特許文献１では、内外気混入モードにおいて外気と内気の導入割合を変更することができるとともに、車室内に設けた湿度センサで測定した車室内湿度が２０％以下ならば内気循環モードとし、５０％ならば外気導入モードとしている。
【０００５】
特許文献２では、窓ガラスが曇り易いか否かを判定する判定手段を設け、窓ガラスが曇り難いと判定手段が判定すると、少なくとも内気を循環させ、窓ガラスが曇り易いと判定手段が判定すると、外気導入モードとして窓ガラスに曇りが生じるのを防止するようにしている。さらに、内外気混入モードにおける内気循環量を段階的に増加させる制御モード、内気及び外気の比率を持続する制御モード、及び内外気混入モードにおける外気の導入量を段階的に増加させる制御モードを備えており、窓ガラスの曇り易さに基づいて制御モードを選択するようにしている。窓ガラスが曇らない範囲で内気循環量を高めることで換気量が減少して暖房に要するエネルギー消費量を少なくすることができる利点がある。
【０００６】
また、特許文献３も特許文献１と同様に車室内に設けた湿度センサに基づいて内外気切替ダンパを制御している。
【先行技術文献】
【特許文献】
【０００７】
【特許文献１】特公平１−２７８９１号公報
【特許文献２】特許第５１５２３５５号公報
【特許文献３】実開昭５６−７０３１１号公報
【発明の概要】
【発明が解決しようとする課題】
【０００８】
ところで、上述したように車両の窓ガラスの曇り易さを湿度センサによって検出し、この検出結果に基づいて窓ガラスが曇り易い場合には外気導入量が増える方向に内外気切替ダンパを作動させる一方、窓ガラスが曇り難い場合には内気循環量が増える方向に内外気切替ダンパを作動させるようにすることで、的確な制御を行うことができると考えられる。しかしながら、一般的に湿度センサは車室内の曇りやすさが急に変化したときに素早く追従できないという問題がある。
【０００９】
そこで、例えばフロントウインドガラス等の窓ガラスの温度を検出する温度センサを車室内に配設し、この温度センサの検出結果に基づいて目標露点温度を算出し、窓ガラスが曇り易い場合には外気導入量が増える方向に内外気切替ダンパを作動させる一方、窓ガラスが曇り難い場合には内気循環量が増える方向に内外気切替ダンパを作動させるようにすることが考えられる。
【００１０】
ところが、例えば、地下駐車場、立体駐車場、タワーパーキング、シャッター付き車庫等のように、外気とある程度遮断された駐車場に長時間駐車していた自動車を屋外へ移動した場合には、移動に伴って外気温度が急激に低下することになる。このような場面では、実際の窓ガラスの温度は急激に低下するが、一般的に車室内に設けられる温度センサは見栄え等の観点からカバー等で覆われていて車室内に露出しないように構成されているので、窓ガラスの温度をリアルタイムで検出するのは難しい。
【００１１】
つまり、理想の現象としては、外気温度が急低下して窓ガラス温度が急低下した場合には、温度センサによる窓ガラスの温度検出値も急低下して目標露点温度もそれに伴って急低下し、その結果、露点温度が低下して窓ガラスが曇らないようにすることであるが、実際に起こる現象は、外気温度が急低下して窓ガラス温度が急低下しても、温度センサによる窓ガラスの温度検出値の低下が緩やかになってしまうので、目標露点温度の低下も緩やかになり、目標露点温度が実際の窓ガラスの温度よりも高くなり、その結果、露点温度が上昇して窓ガラスが曇り易くなってしまう。この問題は、特に寒冷地で発生し易い傾向にある。
【００１２】
本発明は、かかる点に鑑みてなされたものであり、その目的とするところは、車室内に配設された温度検出センサに基づいて内外気切替ダンパを制御する場合に、窓ガラスの温度の変化に温度検出センサが対応できないような状況であっても窓ガラスが曇らないようにすることにある。
【課題を解決するための手段】
【００１３】
上記目的を達成するために、本発明では、外気温度の変化が所定の大きさを超えた場合には、内気循環量の上限が低くなるようにした。
【００１４】
第１の発明は、車室内の空気を導入して車室内に循環させる内気導入口と、車室外の空気を導入する外気導入口とが形成された送風ケーシングと、上記送風ケーシングに設けられ、上記内気導入口及び上記外気導入口を開閉する内外気切替ダンパと、上記内外気切替ダンパを駆動する内外気切替ダンパ駆動手段と、上記車室内に配設され、該車室内における窓ガラスの温度を検出する窓ガラス温度検出センサと、上記内外気切替ダンパ駆動手段を制御する制御装置とを備え、上記制御装置は、上記窓ガラス温度検出センサの検出結果に基づいて、上記窓ガラスが曇り易い場合には外気導入量が増える方向に上記内外気切替ダンパを作動させるべく上記内外気切替ダンパ駆動手段を制御し、一方、上記窓ガラスが曇り難い場合には内気循環量が増える方向に上記内外気切替ダンパを作動させるべく上記内外気切替ダンパ駆動手段を制御する内外気混入モードを選択可能に構成された車両用空調装置において、上記車両用空調装置は、外気温度を検出する外気温度検出センサを備え、上記制御装置は、上記外気温度検出センサの検出結果に基づいて外気温度の変化を得て、外気温度の変化が所定の大きさを超えた場合には、外気温度の変化が所定の大きさ以下の場合に比べて、内気循環量の上限が低くなるように上記内外気切替ダンパ駆動手段を制御するように構成されていることを特徴とする。
【００１５】
この構成によれば、窓ガラス温度検出センサの検出結果に基づいて、窓ガラスが曇り易い場合には外気導入量が増える方向に内外気切替ダンパが作動する一方、窓ガラスが曇り難い場合には内気循環量が増える方向に内外気切替ダンパが作動する。よって、内気循環量を増やして暖房効率を向上させながら、窓ガラスの曇りが抑制される。
【００１６】
例えば、冬季に、外気とある程度遮断された駐車場に長時間駐車していた車両を屋外へ移動した場合には、外気温度が急低下するので窓ガラス温度が急低下する。このとき、窓ガラス温度検出センサはカバー等で覆われているのが一般的であるため、窓ガラス温度が急低下しても、窓ガラスの温度検出値の低下が緩やかになってしまい、目標露点温度の低下も緩やかになり、目標露点温度が実際の窓ガラスの温度よりも高くなって、露点温度が上昇し、窓ガラスが曇り易くなってしまうおそれがある。
【００１７】
この発明では、外気温度の変化を得て、外気温度の変化が所定の大きさを超えた場合には、外気温度の変化が所定の大きさ以下の場合に比べて、内気循環量の上限が低くなるように内外気切替ダンパ駆動手段を制御する。外気温度検出センサは一般的に車室内の温度検出センサよりも温度変化を素早く検出できるので、外気温度が変化した場合にそのことが素早く得られる。外気温度の変化が大きいと、窓ガラス温度が急低下していると推定することができ、この場合に内気循環量の上限が低くなる、即ち、車室内の湿度の高い空気の循環量が少なくなるので、窓ガラスの曇りが抑制される。
【００１８】
第２の発明は、第１の発明において、上記制御装置は、上記外気温度検出センサの検出結果に基づいて外気温度低下率を算出し、算出した外気温度低下率が所定の閾値を超えた場合には、外気温度低下率が所定の閾値以下の場合に比べて、内気循環量の上限が低くなるように上記内外気切替ダンパ駆動手段を制御するように構成されていることを特徴とする。
【００１９】
この構成によれば、外気温度検出センサの検出結果に基づいて算出された外気温度低下率によって内気循環量の上限を設定することが可能になる。
【００２０】
第３の発明は、第２の発明において、上記制御装置は、外気温度低下率が大きくなればなるほど内気循環量の上限が低くなるように上記内外気切替ダンパ駆動手段を制御することを特徴とする。
【００２１】
すなわち、外気温度低下率が大きいということは外気温度が急激に変化したと推定することができ、この場合に内気循環量の上限を低くすることで、窓ガラスの曇りが抑制される。
【００２２】
第４の発明は、第２または３の発明において、上記制御装置は、上記外気温度検出センサの検出結果に基づいて外気温度が低くなればなるほど内気循環量の上限が低くなるように上記内外気切替ダンパ駆動手段を制御することを特徴とする。
【００２３】
すなわち、一般的に外気温度が低くなればなるほど窓ガラスが曇り易くなり、この場合に内気循環量の上限を低くすることで、窓ガラスの曇りが抑制される。
【００２４】
第５の発明は、第２から４のいずれか１つの発明において、上記制御装置は、上記内外気混入モードが選択されているときに、上記窓ガラス温度検出センサで検出された窓ガラスの温度と、上記外気温度検出センサにより検出された外気温度との差が所定値未満である場合には、内気循環量が増えるように乾き補正制御を行うことを特徴とする。
【００２５】
すなわち、窓ガラスの温度と外気温度との差が所定値未満である場合には窓ガラスが曇り難いと推定され、この場合に内気循環量を増やすことで暖房効率が向上する。
【００２６】
第６の発明は、第５の発明において、上記制御装置は、外気温度の変化が所定の大きさを超えた場合には、乾き補正制御を禁止することを特徴とする。
【００２７】
第７の発明は、第２から６のいずれか１つの発明において、上記制御装置は、上記内外気混入モードが選択されている場合、上記窓ガラス温度検出センサで検出された窓ガラスの温度と、上記外気温度検出センサにより検出された外気温度との差が所定値以上であると、外気導入量が増えるように湿り補正制御を行うことを特徴とする。
【００２８】
すなわち、窓ガラスの温度と外気温度との差が所定値以上である場合には窓ガラスが曇り易いと推定することができ、この場合に外気導入量を増やすので、湿度の低い空気が多くなり、窓ガラスの曇りが抑制される。
【００２９】
第８の発明は、第７の発明において、上記制御装置は、外気温度の変化が所定の大きさを超えた場合には、湿り補正制御を実行することを特徴とする。
【００３０】
第９の発明は、第２から８のいずれか１つの発明において、上記制御装置は、現在外気温度平均値と過去外気温度平均値とを算出し、現在外気温度平均値と過去外気温度平均値との差に基づいて外気温度低下率を算出するように構成されていることを特徴とする。
【００３１】
例えば、現在外気温度平均値と過去外気温度平均値との差が大きくなればなるほど外気温度が急激に低下していると推定され、また、現在外気温度平均値と過去外気温度平均値との差が小さくなればなるほど外気温度の変化が小さいと推定される。算出時に外気温度平均値を利用しているので、瞬間的な外気温度の変化が制御に反映されないようになる。
【００３２】
第１０の発明は、第９の発明において、上記制御装置は、車両のイグニッションがＯＦＦからＯＮにされた時点からの経過時間が第１所定時間未満である場合には、その時間内の外気温度の平均値を現在外気温度平均値とするように構成されていることを特徴とする。
【００３３】
第１１の発明は、第１０の発明において、上記制御装置は、車両のイグニッションがＯＦＦからＯＮにされた時点からの経過時間が上記第１所定時間を超え、かつ、上記第１所定時間よりも長い第２所定時間未満である場合には、上記第１所定時間内の外気温度の平均値を過去外気温度平均値とするように構成されていることを特徴とする。
【００３４】
第１２の発明は、第１１の発明において、上記制御装置は、車両のイグニッションがＯＦＦからＯＮにされた時点からの経過時間が第１所定時間未満である場合には、車両のイグニッションがＯＦＦからＯＮにされた時点の外気温度を過去外気温度平均値として使用するように構成されていることを特徴とする。
【発明の効果】
【００３５】
第１の発明によれば、外気温度の変化が所定の大きさを超えた場合に内気循環量の上限が低くなるようにしたので、車室内に設けた窓ガラス温度検出センサが窓ガラスの温度の変化に対応できないような状況であっても窓ガラスが曇らないようにすることができる。
【００３６】
第２の発明によれば、外気温度検出センサの検出結果に基づいて算出された外気温度低下率が所定の閾値を超えた場合に内気循環量の上限が低くなるので、より的確な制御を行うことができる。
【００３７】
第３の発明によれば、外気温度低下率が大きくなればなるほど内気循環量の上限が低くなるので、外気温度に適応した制御を行うことができる。
【００３８】
第４の発明によれば、外気温度が低くなればなるほど内気循環量の上限が低くなるので、外気温度に適応した制御を行うことができる。
【００３９】
第５の発明によれば、窓ガラスの温度と外気温度との差が所定値未満である場合には窓ガラスが曇り難いと推定され、この場合に内気循環量を増やすことで暖房効率が向上する。
【００４０】
第６の発明によれば、外気温度の変化が所定の大きさを超えた場合に乾き補正制御を禁止することで、内気循環量の増加が抑制されて窓ガラスの曇りを抑制する効果がより一層高まる。
【００４１】
第７の発明によれば、窓ガラスの温度と外気温度との差が所定値以上である場合に外気導入量を増やすことができるので、窓ガラスの曇りを抑制する効果がより一層高まる。
【００４２】
第８の発明によれば、外気温度の変化が所定の大きさを超えた場合に湿り補正制御を実行することで、外気導入量が増加して窓ガラスの曇りを抑制する効果がより一層高まる。
【００４３】
第９の発明によれば、現在外気温度平均値と過去外気温度平均値との差に基づいて外気温度低下率を算出することで、瞬間的な外気温度の変化が制御に反映されないようになり、的確な制御を行うことができる。
【００４４】
第１０の発明によれば、車両のイグニッションがＯＮにされてからの経過時間が短い場合に、その時間内の外気温度の平均値を現在外気温度平均値とすることができる。
【００４５】
第１１の発明によれば、車両のイグニッションがＯＮにされてからの経過時間がある程度経過した時に過去外気温度平均値と現在外気温度平均値との両方を算出することができる。
【００４６】
第１２の発明によれば、車両のイグニッションがＯＮにされてからの経過時間が短い場合には過去外気温度平均値を算出することが難しい場合があり、この場合には例外的に車両のイグニッションがＯＮにされた時点の外気温度を過去外気温度平均値として使用することで、より的確な制御を行うことができる。
【図面の簡単な説明】
【００４７】
【図１】実施形態に係る車両用空調装置の概略構造を示す図である。
【図２】車両用空調装置のブロック図である。
【図３】制御装置による制御手順を示すフローチャートである。
【図４】インテーク制御手順を示すフローチャートである。
【図５】露点温度の補正手順を示すフローチャートである。
【図６】湿り露点温度補正値を算出するためのグラフである。
【図７】閾値Ａを算出するためのグラフである。
【図８】閾値Ｂを算出するためのグラフである。
【図９】乾き露点温度補正値を算出するためのグラフである。
【図１０】外気温度低下率判定処理の手順を示すフローチャートである。
【図１１】現在外気温度平均値及び過去外気温度平均値の算出対象時間を示す表である。
【図１２】外気温度低下率判定処理で有効と判定された場合の処理手順を示すフローチャートである。
【図１３】外気温度低下率判定処理で無効と判定された場合の処理手順を示すフローチャートである。
【発明を実施するための形態】
【００４８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４９】
図１は、本発明の実施形態に係る車両用空調装置１の概略構成図である。この車両用空調装置１は、例えば自動車等の車両に搭載されるものであり、車室内の空気（内気）と車室外の空気（外気）との一方または両方を導入して温度調節した後、車室の各部に供給するように構成されている。車両の車室内には、図示しないが、運転席及び助手席からなる前席と、前席の後方に配設される後席とが設けられている。
【００５０】
車両用空調装置１は、空調ケーシング１０と制御装置（図２に示す）３０とを備えている。空調ケーシング１０は、例えば車室の前端部に配設されたインストルメントパネル（図示せず）の内部に収容されている。空調ケーシング１０は、空気流れ方向上流側から下流側に向かって順に、送風ケーシング１１と、温度調節部１２と、吹出方向切替部１３とを備えている。送風ケーシング１１には、外気導入口１１ａと内気導入口１１ｂとが形成されている。外気導入口１１ａは、例えば図示しないインテークダクトを介して車室外と連通しており、車室外の空気（外気）を導入するようになっている。内気導入口１１ｂは、インストルメントパネルの内部で開口しており、車室内の空気（内気）を導入して車室内に循環させるようになっている。外気導入口１１ａから導入する外気の量が外気導入量となる。内気導入口１１ｂから導入する内気の量が内気循環量となる。
【００５１】
送風ケーシング１１の内部には、外気導入口１１ａ及び内気導入口１１ｂを開閉する内外気切替ダンパ１１ｃが配設されている。内外気切替ダンパ１１ｃは、例えば板状の部材からなる片持ちダンパやロータリダンパ等で構成することができ、送風ケーシング１１の側壁に対して回動可能に支持されている。内外気切替ダンパ１１ｃは、図示しないがフィルムダンパ等で構成することもできる。
【００５２】
内外気切替ダンパ１１ｃは、内外気切替アクチュエータ（内外気切替ダンパ駆動手段）１１ｄによって任意の回動角度となるように駆動される。これによりインテークモードが切り替えられる。内外気切替アクチュエータ１１ｄは、制御装置３０によって後述するように制御される。
【００５３】
例えば、図１に実線で示すように外気導入口１１ａを全閉にし、かつ、内気導入口１１ｂを全開にするまで内外気切替ダンパ１１ｃを回動させると、インテークモードが内気循環モードとなる。このときの内外気切替ダンパ１１ｃの開度は１００％とする。一方、図１に仮想線で示すように外気導入口１１ａを全開にし、かつ、内気導入口１１ｂを全閉にするまで内外気切替ダンパ１１ｃを回動させると、インテークモードが外気導入モードとなる。このときの内外気切替ダンパ１１ｃの開度は０％とする。そして、内外気切替ダンパ１１ｃの開度が１％〜９９％の間にあるときには、外気導入口１１ａと内気導入口１１ｂの両方が開状態となり、内気と外気の両方が温度調節部１２に導入される。このインテークモードが内外気混入モードである。内外気混入モード時には、内外気切替ダンパ１１ｃの開度によって内気と外気の導入比率が変更され、これにより、外気導入量及び内気循環量が変化する。インテークモードの切替制御の詳細は後述する。
【００５４】
また、内外気混入モード時には外気導入口１１ａと内気導入口１１ｂの両方が開状態になるので、例えば走行風の勢いが強いと、走行風が外気導入口１１ａから送風ケーシング１１内に入った後、その一部が内気導入口１１ｂから車室内に流入することがある。このときに例えば雪が降っていると、走行風に乗った雪が外気導入口１１ａから送風ケーシング１１内に入り、内気導入口１１ｂから車室内に入ることが考えられるが、この実施形態では後述するように図４に示すフローチャートのステップＳＢ１１において雪が車室内に入るのを抑制している。
【００５５】
図１に示すように、送風ケーシング１１には、送風機１５が設けられている。送風機１５は、ファン１５ａと、ファン１５ａを駆動するブロアモータ１５ｂとを備えている。ファン１５ａが回転することによって内気及び外気の少なくとも一方が送風ケーシング１１に導入された後、送風ケーシング１１の下流側に設けられている温度調節部１２に送風される。ブロアモータ１５ｂは、印加される電圧を変更することで単位時間当たりの回転数を調整することができるように構成されている。このブロアモータ１５ｂの回転数によって送風量が変化するようになっている。ブロアモータ１５ｂは、制御装置３０によって制御される。
【００５６】
温度調節部１２は、送風ケーシング１１から導入された空調用空気の温度調節を行うための部分である。温度調節部１２の内部には、冷却用熱交換器１６と加熱用熱交換器１７とエアミックスドア１８とが配設されている。すなわち、温度調節部１２の内部には、空気流れ方向上流側に冷風通路Ｒ１が形成され、この冷風通路Ｒ１に冷却用熱交換器１６が収容されている。また、冷風通路Ｒ１の下流側は温風通路Ｒ２とバイパス通路Ｒ３とに分岐しており、温風通路Ｒ２に加熱用熱交換器１７が収容されている。
【００５７】
冷却用熱交換器１６は、例えばヒートポンプ装置の冷媒蒸発器等で構成することができるが、これに限られるものではなく、空気を冷却することができるものではあればよい。また、加熱用熱交換器１７は、例えば車両のエンジンルームに搭載されているエンジン（図示せず）の冷却水が供給されるヒータコア等で構成することができるが、これに限られるものではなく、例えば電気式ヒータ等、空気を加熱することができるものではあればよい。また、電気式ヒータを補助熱源として付加することもできる。
【００５８】
エアミックスドア１８は、冷却用熱交換器１６と加熱用熱交換器１７の間に配設されており、温風通路Ｒ２の上流端とバイパス通路Ｒ３の上流端とを開閉するものである。エアミックスドア１８は、例えば板状の部材で構成することができ、温度調節部１２の側壁に対して回動可能に支持されている。エアミックスドア１８は、エアミックスアクチュエータ１８ａによって任意の回動角度となるように駆動される。エアミックスアクチュエータ１８ａは、制御装置３０によって制御される。
【００５９】
エアミックスドア１８が温風通路Ｒ２の上流端を全開にし、かつ、バイパス通路Ｒ３の上流端を全閉にすると、冷風通路Ｒ１で生成された冷風の全量が温風通路Ｒ２に流入して加熱されるので、吹出方向切替部１３には温風が流入する。一方、エアミックスドア１８が温風通路Ｒ２の上流端を全閉にし、かつ、バイパス通路Ｒ３の上流端を全開にすると、冷風通路Ｒ１で生成された冷風の全量がバイパス通路Ｒ３に流入するので、吹出方向切替部１３には冷風が流入する。エアミックスドア１８が温風通路Ｒ２の上流端及びバイパス通路Ｒ３の上流端を開く回動位置にあるときには、冷風及び温風が混合した状態で吹出方向切替部１３に流入することになる。エアミックスドア１８の回動位置によって吹出方向切替部１３に流入する冷風量と温風量とが変更されて所望温度の調和空気が生成される。尚、エアミックスドア１８は、上記した板状のドアに限られるものではなく、冷風量と温風量とを変更することができる構成であればその構成はどのような構成であってもよい。例えばロータリドアやフィルムドア、ルーバーダンパ等であってもよい。また、温度調節の構成は上記した構成でなくてもよく、冷風量と温風量とを変更することができる構成であればよい。
【００６０】
吹出方向切替部１３は、温度調節部１２で温度調節された調和空気を車室の各部に供給するための部分である。吹出方向切替部１３には、デフロスタ吹出口２１と、ベント吹出口２２と、ヒート吹出口２３とが形成されている。デフロスタ吹出口２１は、インストルメントパネルに形成されたデフロスタノズル２４に接続されている。このデフロスタ吹出口２１は、フロントウインドガラス（窓ガラス）Ｇの車室内面に調和空気を供給するためのものである。デフロスタ吹出口２１の内部には、デフロスタ吹出口２１を開閉するためのデフロスタドア２１ａが設けられている。
【００６１】
ベント吹出口２２は、インストルメントパネルに形成されたベントノズル２５に接続されている。ベントノズル２５は、前席の乗員の上半身に調和空気を供給するためのものであり、インストルメントパネルの車幅方向中央部と、左右両側にそれぞれ設けられている。ベント吹出口２２の内部には、ベント吹出口２２を開閉するためのベントドア２２ａが設けられている。
【００６２】
ヒート吹出口２３は、乗員の足元近傍まで延びるヒートダクト２６に接続されている。ヒートダクト２６は、乗員の足元に調和空気を供給するためのものである。ヒート吹出口２３の内部には、ヒート吹出口２３を開閉するためのヒートドア２３ａが設けられている。
【００６３】
デフロスタドア２１ａ、ベントドア２２ａ及びヒートドア２３ａは吹出方向切替アクチュエータ２７によって駆動されて開閉動作する。吹出方向切替アクチュエータ２は、制御装置３０によって制御される。デフロスタドア２１ａ、ベントドア２２ａ及びヒートドア２３ａは、図示しないがリンクを介して連動するようになっており、例えば、デフロスタドア２１ａが開状態で、ベントドア２２ａ及びヒートドア２３ａが閉状態となるデフロスタモード、デフロスタドア２１ａ及びヒートドア２３ａが閉状態で、ベントドア２２ａが開状態となるベントモード、デフロスタドア２１ａ及びベントドア２２ａが閉状態で、ヒートドア２３ａが開状態となるヒートモード、デフロスタドア２１ａ及びベントドア２２ａが開状態で、ヒートドア２３ａが閉状態となるデフベントモード、デフロスタドア２１ａ及びヒートドア２３ａが開状態で、ベントドア２２ａが閉状態となるバイレベルモード等の複数の吹出モードの内、任意の吹出モードに切り替えられる。
【００６４】
図２に示すように、車両用空調装置１は、外気温度センサ（外気温度検出センサ）３１、内気温度センサ３２、日射量センサ（日射量検出手段）３３、冷却水温センサ３４、エバポレータセンサ３５、フロントウインド近傍温湿度センサ３７、操作スイッチ３９、乗員センサ４０、車速センサ（車速検出手段）４１、ワイパースイッチ４２及びエンジン水温センサ４３を備えている。これらセンサ３１〜３５、３７、４０、４１、４３は制御装置３０に接続され、制御装置３０へ信号を出力している。また、操作スイッチ３９は制御装置３０に接続されており、乗員による操作状態を制御装置３０が検出できるようになっている。また、ワイパースイッチ４２は制御装置３０に接続されている。
【００６５】
外気温度センサ３１は、例えば車室外において車両前部や側部等に配設されており、車両の周囲の空気温度（外気温度）を検出するものである。内気温度センサ３２は、例えば車室内においてインストルメントパネルの近傍等に配設されており、車室内の空気温度（内気温度）を検出するものである。日射量センサ３３は、例えば車室内においてインストルメントパネルの近傍等に配設されており、車室に照射される日射量を検出するものである。
【００６６】
内気温度センサ３２、外気温度センサ３１及び日射量センサ３３は、乗員が感じる冷熱に関連する情報を検出することができるものである。すなわち、内気温度センサ３２から出力される内気温度は、乗員の雰囲気温度と略等しい温度であり、内気温度が高いということは乗員が暖かいと感じ、内気温度が低いということは乗員が寒いと感じる。また、外気温度センサ３１から出力される外気温度が高いと乗員が暖かいと感じ、外気温度が低いと乗員が寒いと感じる。さらに、日射量センサ３３から出力される日射量が多いと乗員が暖かいと感じ、日射量が少ないと乗員が寒いと感じる。
【００６７】
冷却水温センサ３４は、車両に搭載されているエンジンの冷却水の温度（エンジン水温）を検出するエンジン水温検出手段である。この冷却水温センサ３４により、加熱用熱交換器１７に流入するエンジンの冷却水の温度を推定することができる。また、冷却水温センサ３４により、エンジンの暖気状態を推定することができるとともに、暖房熱源の温度を得ることができる。エバポレータセンサ３５は、冷却用熱交換器１６の空気流れ方向下流側に配設されており、冷却用熱交換器１６の表面温度を検出するものである。
【００６８】
フロントウインド近傍温湿度センサ３７は、本発明の窓ガラス温度検出センサを構成するものである。フロントウインド近傍温湿度センサ３７は、フロントウインドガラスＧの車室内面から離れ、かつ、該内面近傍に配設されており、フロントウインドガラスＧの車室内面近傍の温度を検出することで窓ガラスの温度を検出可能に構成された温度センサ（図示せず）と、フロントウインドガラスＧの車室内面近傍の湿度を検出する湿度センサ（図示せず）とを備えたものである。温度センサ及び湿度センサは基板（図示せず）に実装されている。このフロントウインド近傍温湿度センサ３７は、例えば樹脂材等からなるカバー（図示せず）によって覆われており、車室内に露出しないようになっている。
【００６９】
操作スイッチ３９は、例えばインストルメントパネル等に配設されており、例えば、空調装置１のＯＮ／ＯＦＦの切替スイッチ、送風量を増減させる風量切替スイッチ、車室の温度を設定する温度設定スイッチ、内気循環、外気導入及び内外気混入モードを切り替える内外気切替スイッチ、オートエアコン制御とするか否かを選択するオートスイッチ、吹出方向を切り替える吹出モード切替スイッチ、デフロスタスイッチ等で構成されている。
【００７０】
乗員センサ４０は、前席に乗員が着座しているか否かを検出するとともに、後席に乗員が着座しているか否かも検出することができるものである。具体的には、例えば前席及び後席のシートクッション部にそれぞれ感圧センサを内蔵しておき、この感圧センサによって乗員が着座しているか否かを検出することができる。また、前席及び後席のシートベルトが装着状態にあるか否かを検出するセンサが一般の車両に設けられているので、このセンサを利用してシートベルトが装着状態にあれば乗員が着座していることを検出できる。車速センサ４１は、車両の速度を検出することができるものであり、従来から周知のセンサ類を使用することができる。この乗員センサ４０から出力される信号は本実施形態に係る制御に使用してもよいし、使用しなくてもよい。
【００７１】
ワイパースイッチ（ワイパー作動状態検出手段）４２は、車両に設けられているワイパーを作動させるためのものであり、ワイパーを作動状態にするＯＮポジションと、ワイパーを停止状態にするＯＦＦポジションとを少なくとも有している。また、ＯＮポジションでは、ワイパーの作動速度を高速、中速、低速に切り替えることができるとともに、間欠動作をさせることもできるように構成されている。このワイパースイッチ４２は制御装置３０に接続されているので、制御装置３０はワイパースイッチ４２によって車両のワイパーの作動状態を検出することができる。
【００７２】
制御装置３０は、上記センサ３１〜３５、３７、４０、４１、４３から出力される信号（出力値）と、操作スイッチ３９及びワイパースイッチ４２の操作状態とに基づいて、内外気切替アクチュエータ１１ｄ、エアミックスアクチュエータ１８ａ、吹出方向切替アクチュエータ２７及びブロアモータ１５ｂを制御する。すなわち、操作スイッチ３９のオートスイッチによってオートエアコン制御が選択された場合には、車室外の温度、車室内の温度、日射量、エンジン冷却水温度、冷却用熱交換器１６の表面温度、設定温度等に基づいて、車室内に供給する調和空気の目標吹出温度を決定するとともに、この目標吹出温度となるようにエアミックスドア１８の開度を演算し、エアミックスドア１８がこの開度となるようにエアミックスアクチュエータ１８ａを制御してエアミックスドア１８を回動させる。これにより、調和空気の温度が目標吹出温度となる。
【００７３】
また、制御装置３０は、冷房時には吹出モードが主にベントモードとなるように吹出方向切替アクチュエータ２７を制御し、暖房時には吹出モードが主にデフロスタモードやヒートモードとなるように吹出方向切替アクチュエータ２７を制御する。また、冷房時や暖房時であっても弱めの場合には、バイレベルモードやデフベントモードとなるように吹出方向切替アクチュエータ２７を制御する。さらに、操作スイッチ３９が有するデフロスタスイッチがＯＮにされると、吹出モードがデフロスタモードとなるように吹出方向切替アクチュエータ２７を制御する。
【００７４】
例えば冬季に長時間放置された車両で暖房を行う場合や、夏季で長時間放置された車両で冷房を行う場合には、目標吹出温度と内気温度との差が大きくなる。このような場合には、制御装置３０は、風量が多くなるようにブロアモータ１５ｂを制御するが、乗員が風量切替スイッチを操作して好みの風量にすることもできるようになっている。また、オートエアコン制御では、目標吹出温度と内気温度との差が小さくなるにつれて風量が少なくなるようにブロアモータ１５ｂを制御する。ブロアモータ１５ｂの制御は印加電圧の変更によって行われるが、これに限られるものではなく、ブロアモータ１５ｂの回転数を変更できればよい。
【００７５】
制御装置３０によるブロアモータ１５ｂの制御及び吹出モードの切替制御によって乗員の上半身への送風量を検出することができる。すなわち、吹出モードがベントモードである場合には、主に乗員の上半身へ調和空気が送風されることになり、このベントモード時におけるブロアモータ１５ｂへの印加電圧を検出することで乗員の上半身への送風量を検出することができる。また、ヒートモード時には、ベントモード時に比べて全体的に乗員の上半身への送風量が少なくなり、このことも制御装置３０によって検出できる。
【００７６】
また、制御装置３は、図３に示すフローチャートの手順に従って内外気切替アクチュエータ２７を制御する。この内外気切替アクチュエータ２７の制御は、車両のイグニッションスイッチがＯＮで、かつ、車両用空調装置１がＯＮとされて制御装置３が暖房を行う必要があると判断した場合に、所定のタイミングで繰り返されている。尚、冷房時には、基本的には乗員が選択したモード（外気導入モードか内気循環モード）となるように内外気切替アクチュエータ２７を制御する。
【００７７】
スタート後のステップＳＡ１では、各センサ３１〜３５、３７、４０、４１、４３の出力値を読み込むとともに、操作スイッチ３９及びワイパースイッチ４２の操作状態を読み込む。各センサ３１〜３５、３７、４０、４１、４３は、イグニッションスイッチがＯＦＦ状態からＯＮされた時、及びその後、継続して各値を検出し、出力している。
【００７８】
ステップＳＡ１に続くステップＳＡ２では、フロントウインドガラス露点温度を計算する。フロントウインドガラス露点温度は、基本的には、フロントウインド近傍温湿度センサ３７から出力されるフロントウインドガラスＧの車室内面近傍の温度と、フロントウインドガラスＧの車室内面近傍の湿度とに基づいて得られる。フロントウインドガラス露点温度は、イグニッションスイッチがＯＦＦ状態からＯＮされた時、及びその後、継続して計算される。
【００７９】
ステップＳＡ２に続くステップＳＡ３では露点温度補正を行う。露点温度補正は、ステップＳＡ２で計算したフロントウインドガラス露点温度に、露点温度補正値（℃）を加える制御である。この露点温度補正値（℃）には、湿り露点温度補正値（℃）と乾き露点温度補正値（℃）とがあり、これら補正値の求め方は後述する。
【００８０】
ステップＳＡ３に続くステップＳＡ４では、目標露点温度を計算する。目標露点温度は、フロントウインド近傍温湿度センサ３７から出力されるフロントウインドガラスＧの車室内面近傍の温度よりも低い温度とする。例えば、フロントウインドガラスＧの車室内面近傍の温度が１０℃の場合、それよりも２〜３℃程度低い温度を目標露点温度とする。目標露点温度は、周知の手法に従って得ることができる。その後、ステップＳＡ５ではインテーク制御を行う。尚、吹出モード、風量（ファン駆動モーター１５ｂへの印加電圧）も周知の制御手法に基づいて決定する。
【００８１】
（インテーク制御の内容）
ステップＳＡ５で行われるインテーク制御の具体的な内容は図４のフローチャートに示す。図４のフローチャートのステップＳＢ１において、オート制御であるか否か、即ち、オートエアコン制御と、乗員によるマニュアル操作とのいずれが選択されているかを判定する。オートエアコン制御であるか否かは、操作スイッチ３９のうち、オートスイッチが押されているか否かで判定できる。ステップＳＢ１においてＮＯと判定されてオートエアコン制御でなく、マニュアル操作が選択されている場合にはステップＳＢ２に進み、インテークモードが外気導入モードであるか否かを判定する。尚、マニュアル操作では内外気混入モードを選択できないので、ステップＳＢ２では、外気導入モードと内気循環モードとのうち、いずれのモードであるかを判定することになる。
【００８２】
ステップＳＢ２においてＹＥＳと判定されて外気導入モードにある場合には、乗員が外気導入モードを積極的に選択しているということであることからステップＳＢ３に進み、内外気切替ダンパ１１ｃの目標開度を外気導入開度とする。外気導入開度は、外気導入口１１ａを全開にし、かつ、内気導入口１１ｂを全閉にする開度であり、０％である。一方、ステップＳＢ２において、ＮＯと判定されて内気循環モードにある場合には、乗員が内気循環モードを積極的に選択しているということであることからステップＳＢ４に進み、内外気切替ダンパ１１ｃの目標開度を内気循環開度とする。内気循環開度は、外気導入口１１ａを全閉にし、かつ、内気導入口１１ｂを全開にする開度であり、１００％である。
【００８３】
上記ステップＳＢ１においてＹＥＳと判定されてオートエアコン制御である場合にはステップＳＢ５に進む。ステップＳＢ５では、図３に示すフローチャートのステップＳＡ３を経た後の補正後のフロントウインドガラス露点温度を使用する。そして、ステップＳＡ４で計算した目標露点温度となるように、内外気切替ダンパ１１ｃの目標開度（ｆ）を計算する。
【００８４】
例えば、ステップＳＢ５でフロントウインドガラス露点温度が目標露点温度よりも高い場合には、外気導入量を増やすように内外気切替ダンパ１１ｃの目標開度（ｆ）を計算し、フロントウインドガラス露点温度が目標露点温度よりも低い場合には、内気循環量を増やすように内外気切替ダンパ１１ｃの目標開度（ｆ）を計算する。フロントウインドガラス露点温度が目標露点温度よりも高い場合に、その差が大きくなるほど、外気導入量を増やし、また、フロントウインドガラス露点温度が目標露点温度よりも低い場合に、その差が大きくなるほど、内気循環量を増やす。
【００８５】
つまり、制御装置３０は、フロントウインドガラスＧの曇り易さをフロントウインド近傍温湿度センサ３７の出力値に基づいて検出し、基本的には、この検出結果に基づいてフロントウインドガラスＧが曇り易い場合には外気導入量を増やす一方、フロントウインドガラスＧが曇り難い場合には内気循環量を増やすように構成されている。このように、オートエアコン制御では、基本的に、フロントウインドガラスＧの曇り易さに基づいて外気導入量及び内気循環量を変更する内外気混入モードが選択される。
【００８６】
ステップＳＢ５において内外気切替ダンパ１１ｃの目標開度（ｆ）を計算した後、ステップＳＢ６に進んで外気温度センサ３１で検出された現在の外気温度が所定温度以下であるか否かを判定する。ステップＳＢ６における所定温度とは、雪が降る程度に低い温度であり、例えば３℃以下、２℃以下、１℃以下、０℃以下、氷点下とすることができる。
【００８７】
ステップＳＢ６においてＮＯと判定されて現在の外気温度が所定温度よりも高く、雪が降りそうにない温度である場合にはステップＳＢ７に進む。ステップＳＢ７では、ステップＳＢ５で得られた開度（ｆ）を内外気切替ダンパ１１ｃの開度として設定する。
【００８８】
ステップＳＢ６においてＹＥＳと判定されて現在の外気温度が雪が降る程度に低い温度である場合には、ステップＳＢ８に進んで日射量センサ３３により検出された現在の日射量が所定量以下であるか否かを判定する。ステップＳＢ８における所定量とは、仮に雪が降っていても雪が降っている途中で殆ど溶けるくらいの強めの日射量である。ステップＳＢ８においてＮＯと判定されて日射量が多く、雪が日射によって溶けそうな場合にはステップＳＢ７に進む。
【００８９】
ステップＳＢ８においてＹＥＳと判定されて現在の日射量が雪を溶かす程度に高い場合には、ステップＳＢ９に進んでワイパースイッチ４２がＯＮであるか否かを判定する。ワイパースイッチ４２がＯＮである場合には、雪がフロントウインドガラスＧの表面に付着するくらい降っているということであり、この場合にはステップＳＢ１０に進む。一方、ステップＳＢ１０でＮＯと判定されて雪は降っているがフロントウインドガラスＧの表面に付着する程でない場合にはステップＳＢ７に進む。
【００９０】
ステップＳＢ１０では、車速センサ４１で検出された車速が所定車速以上であるか否かを判定する。ステップＳＢ１０における所定車速とは、車両が高速走行しているか否かを判定する基準となる速度であり、例えば６０ｋｍ／ｈ以上８０ｋｍ／ｈ以下の範囲で設定することができる。また、ステップＳＢ１０では、判定基準速度を下げて、車両が走行しているか否かを判定するようにしてもよい。ステップＳＢ１０でＹＥＳと判定されて車両が高速走行している場合にはステップＳＢ１１に進む。ステップＳＢ１１では内外気切替ダンパ１１ｃの目標開度をステップＳＢ５で計算した開度に関わらず、外気導入開度とする。
【００９１】
一方、ステップＳＢ１０でＮＯと判定されて車両が高速走行していない場合には雪が降っていても走行風の勢いが弱く、雪が走行風に乗って車室内にまで入る可能性が低い。この場合には、ステップＳＢ７に進む。
【００９２】
上述のようにしてエアミックスドア１８の開度を決定した後、図３に示すフローチャートにおけるステップＳＡ６に進んで内外気切替アクチュエータ１１ｄの駆動処理を行う。具体的には、内外気切替ダンパ１１ｃの開度が、図４に示すフローチャートにおけるステップＳＢ１１、ＳＢ７で設定された開度となるように内外気切替アクチュエータ１１ｄを作動させる。
【００９３】
（フロントウインドガラス露点温度補正制御）
次に、フロントウインドガラス露点温度補正制御について、図５に示すフローチャートに基づいて説明する。フロントウインドガラス露点温度補正制御は、外気導入量が増える補正を行う湿り補正制御と、内気循環量が増える補正を行う乾き補正制御とを含んでおり、状況に応じて切り替えられる。
【００９４】
図５に示すフローチャートのステップＳＣ１では、車両のイグニッションがＯＦＦからＯＮにされたか否かを判定する。ステップＳＣ１でＹＥＳと判定されて車両のイグニッションがＯＦＦからＯＮにされた場合にはステップＳＣ２に進む。一方、ステップＳＣ１でＮＯと判定されて車両のイグニッションがＯＮ状態（ＩＧ  ＯＮ中）である場合にはステップＳＣ１５に進む。
【００９５】
ステップＳＣ２では、フロントウインド近傍温湿度センサ３７で検出されたフロントウインドガラスＧの車室内面近傍の温度が、外気温度センサ３１で検出された現在の外気温度に所定値を加えた値以上であるか否かを判定する。すなわち、フロントウインド近傍温湿度センサ３７で検出されたフロントウインドガラスＧの車室内面近傍の温度から外気温度センサ３１で検出された現在の外気温度を差し引いた値（差）が所定値以上であるか否かを判定する。
【００９６】
ステップＳＣ２で用いられる所定値は、常に一定ではなく、外気温度センサ３１で検出された現在の外気温度が低くなるほど大きな値となるように変化する。例えば、外気温度センサ３１で検出された現在の外気温度が−２０℃以下であれば所定値を「３」とし、−２０℃よりも高く、かつ、−１０℃以下であれば所定値を「２．５」とし、−１０℃よりも高く、かつ、０℃以下であれば所定値を「２」とし、０℃よりも高ければ所定値を「２」とすればよい。この所定値は一例であり、挙げた数値に限定されるものではない。
【００９７】
ステップＳＣ２でＹＥＳと判定されてフロントウインド近傍温湿度センサ３７で検出されたフロントウインドガラスＧの車室内面近傍の温度と、外気温度センサ３１で検出された現在の外気温度との差が所定値以上である場合には、ステップＳＣ３に進む。一方、ステップＳＣ２でＮＯと判定されてフロントウインド近傍温湿度センサ３７で検出されたフロントウインドガラスＧの車室内面近傍の温度と、外気温度センサ３１で検出された現在の外気温度との差が所定値未満である場合には、フロントウインドガラスＧの車室内面近傍の温度と現在の外気温度との差が小さく、フロントウインドガラスＧが曇り難い状況であり、ステップＳＣ８に進む。
【００９８】
ステップＳＣ３では、エンジン水温センサ４３で検出されたエンジン水温が所定水温以下であるか否かを判定する。ステップＳＣ３の判定で用いられる所定水温の値は、例えば６０℃に設定することができるが、これに限られるものではなく、エンジンが完全に暖機されていないと判定できる値であればよい。
【００９９】
ステップＳＣ３でＹＥＳと判定されてエンジン水温センサ４３で検出されたエンジン水温が所定水温以下である場合には、ステップＳＣ４に進む。一方、ステップＳＣ３でＮＯと判定されてエンジン水温センサ４３で検出されたエンジン水温が所定水温よりも高い場合にはエンジンの暖機がほぼ完了している状況であり、ステップＳＣ８に進む。
【０１００】
ステップＳＣ４では、湿り補正制御を行うとともに、湿り補正フラグＦ１を１とする。湿り補正制御では、図６に示すグラフに基づいて湿り露点温度補正値（℃）を得る。図６のグラフの横軸は、フロントウインド近傍温湿度センサ３７で検出されたフロントウインドガラスＧの車室内面近傍の温度Ｔｏｗ（℃）から外気温度センサ３１で検出された現在の外気温度Ｔａ（℃）を差し引いた値であり、縦軸は湿り露点温度補正値（℃）である。横軸のＳＴＰ２及びＳＴＰ３は、常に一定ではなく、外気温度センサ３１で検出された現在の外気温度が低くなるほど大きな値となるように変化する。例えば、外気温度センサ３１で検出された現在の外気温度が−２０℃以下であればＳＴＰ２及びＳＴＰ３をそれぞれ３及び１２とし、−２０℃よりも高く、かつ、−１０℃以下であればＳＴＰ２及びＳＴＰ３をそれぞれ２．５及び１１．５とし、−１０℃よりも高く、かつ、０℃以下であればＳＴＰ２及びＳＴＰ３をそれぞれ２及び１１とし、０℃よりも高ければＳＴＰ２及びＳＴＰ３をそれぞれ２及び１１とすればよい。この所定値は一例であり、挙げた数値に限定されるものではない。
【０１０１】
そして、Ｔｏｗ（℃）−Ｔａ（℃）の値がＳＴＰ２であれば、露点温度補正値（℃）は０となり、Ｔｏｗ（℃）−Ｔａ（℃）の値がＳＴＰ２を超えてＳＴＰ３までは、Ｔｏｗ（℃）−Ｔａ（℃）の値と正比例の関係で湿り露点温度補正値（℃）が高くなるように設定されている。この実施形態では、Ｔｏｗ（℃）−Ｔａ（℃）の値がＳＴＰ３となったときに、湿り露点温度補正値（℃）が４となるように設定しているが、これに限られるものではない。また、Ｔｏｗ（℃）−Ｔａ（℃）の値がＳＴＰ３を超えたとしても、湿り露点温度補正値（℃）が４を超えることはないように上限値を設定している。
【０１０２】
ステップＳＣ４に続くステップＳＣ５では、湿り補正制御を終わらせる湿り補正制御解除条件判定処理を行う。具体的には、ステップＳＣ１でＹＥＳと判定されてから、即ちイグニッションがＯＦＦからＯＮにされてからの経過時間を計測する処理を行う。
【０１０３】
ステップＳＣ５に続くステップＳＣ６では、湿り補正制御解除条件が成立したか否かを判定する。具体的には、イグニッションがＯＦＦからＯＮにされてからの経過時間が例えば２０分を経過すると車室内の温度が上昇してきてフロントウインドガラスＧが曇り難い状況になると考えられるので、湿り補正制御解除条件が成立した（ＹＥＳ）と判定してステップＳＣ７に進む。一方、イグニッションがＯＦＦからＯＮにされてからの経過時間が例えば２０分を経過していない場合には、フロントウインドガラスＧが曇り難い状況になると考えられるので、湿り補正制御解除条件が成立しない（ＮＯ）と判定してステップＳＣ７を飛ばす。ステップＳＣ７では、湿り補正制御を終わらせて湿り補正フラグＦ１を０とする。
【０１０４】
一方、ステップＳＣ２でＮＯと判定され、また、ステップＳＣ３でＮＯと判定されて進んだステップＳＣ８では、外気温度センサ３１で検出された現在の外気温度が所定範囲内であるか否かを判定する。このステップＳＣ８では、例えば、外気温度センサ３１により検出された外気温度が−１５℃以上、かつ、１０℃以下の範囲（所定範囲）であるか否かを判定する。すなわち、外気温度が−１５℃未満であるか、１０℃よりも高い場合には、ＮＯと判定されてステップＳＣ１４に進むことになるので、ステップＳＣ１１の乾き補正制御が禁止されることになる。一方、外気温度センサ３１により検出された外気温度が−１５℃以上、かつ、１０℃以下の範囲内であればＹＥＳと判定されてステップＳＣ９に進む。
【０１０５】
ステップＳＣ９では、エンジン水温が所定閾値Ａ以下であるか否かを判定する。すなわち、ＯＦＦ状態にあるイグニッションスイッチがＯＮにされた時のエンジン水温を冷却水温センサ３４から得ておき、それを制御装置３０に一旦記憶させておき、この制御装置３０に記憶されているエンジン水温に基づいてステップＳＣ９で上記判定を行う。
【０１０６】
ステップＳＣ４における所定閾値Ａは第１閾値であり、図７に示すグラフに基づいて得られる。図７のグラフの横軸は外気温度センサ３１により検出された外気温度（℃）であり、縦軸は閾値Ａ（℃）である。外気温度が−１５℃のときには閾値Ａを５℃とし、外気温度が１０℃のときには閾値Ａを２０℃とする。外気温度が−１５℃〜１０℃の範囲では、閾値Ａが外気温度の増加に比例して高くなる。つまり、制御装置３０は、外気温度センサ３１により検出された外気温度が高くなるほど閾値Ａを高くするように構成されている。尚、図７のグラフにおいて外気温度及び閾値Ａは例示であり、具体的な温度については本実施形態による効果が奏される範囲内で変更することができる。
【０１０７】
図５に示すフローチャートのステップＳＣ９でＹＥＳと判定されてＯＦＦ状態にあるイグニッションスイッチがＯＮにされた時のエンジン水温が所定閾値Ａ以下である場合にはステップＳＣ１０に進む。ステップＳＣ９でＮＯと判定されてＯＦＦ状態にあるイグニッションスイッチがＯＮにされた時のエンジン水温が所定閾値Ａよりも高い場合にはステップＳＣ１４に進むことになるので、ステップＳＣ１１の露点温度補正処理が禁止されることになる。
【０１０８】
ステップＳＣ１０では、車両のイグニッションスイッチがＯＦＦ（ＩＧ  ＯＦＦ）状態からＯＮ（ＩＧ  ＯＮ）された時のフロントウインドガラス露点温度が所定閾値Ｂ以下であるか否かを判定する。すなわち、ＯＦＦ状態にあるイグニッションスイッチがＯＮにされた時に計算されたフロントウインドガラス露点温度を制御装置３０に一旦記憶させておき、この制御装置３０に記憶されているフロントウインドガラス露点温度に基づいてステップＳＣ１０で上記判定を行う。
【０１０９】
ステップＳＣ１０における所定閾値Ｂは第２閾値であり、図８に示すグラフに基づいて得られる。図８のグラフの横軸は外気温度センサ３１により検出された外気温度（℃）であり、縦軸は閾値Ｂ（℃）である。外気温度が−１５℃のときには閾値Ｂを−１６．５℃とし、外気温度が１０℃のときには閾値Ｂを１２．５℃とする。外気温度が−１５℃〜１０℃の範囲では、閾値Ｂが外気温度の増加に比例して高くなる。つまり、制御装置３０は、外気温度センサ３１により検出された外気温度が低くなるほど閾値Ｂを低くするように構成されている。尚、図８のグラフにおいて外気温度及び閾値Ｂは例示であり、具体的な温度については本実施形態による効果が奏される範囲内で変更することができる。
【０１１０】
ステップＳＣ１０でＹＥＳと判定されてＯＦＦ状態にあるイグニッションスイッチがＯＮにされた時のフロントウインドガラス露点温度が所定閾値Ｂ以下である場合にはステップＳＣ１１に進む。ステップＳＣ１０でＮＯと判定されてＯＦＦ状態にあるイグニッションスイッチがＯＮにされた時のフロントウインドガラス露点温度が所定閾値Ｂよりも高い場合にはステップＳＣ１４に進むことになるので、ステップＳＣ１１の露点温度補正処理が禁止されることになる。
【０１１１】
ステップＳＣ１１では、乾き補正制御を行うとともに、乾き補正フラグＦ２を１とする。乾き補正制御では、図９に示すグラフに基づいて乾き露点温度補正値（℃）を得る。図９のグラフの横軸は、外気温度センサ３１により検出された外気温度（℃）であり、縦軸は乾き露点温度補正値（℃）である。外気温度が−１５℃のときには乾き露点温度補正値（℃）を−２℃とし、外気温度が１０℃のときには乾き露点温度補正値（℃）を−１℃とする。外気温度が−１５℃〜１０℃の範囲では、乾き露点温度補正値（℃）が外気温度の増加に比例して高くなる。
【０１１２】
ステップＳＣ１１に続くステップＳＣ１２では、乾き補正制御を終わらせる乾き補正制御解除条件判定処理を行う。具体的には、エンジン水温センサ４３で検出されたエンジン水温を随時読み込む処理を行う。
【０１１３】
ステップＳＣ１２に続くステップＳＣ１３では、乾き補正制御解除条件が成立したか否かを判定する。具体的には、エンジン水温センサ４３で検出されたエンジン水温が例えば７０℃を超えると乾き補正制御解除条件が成立した（ＹＥＳ）と判定してステップＳＣ１４に進む。一方、エンジン水温センサ４３で検出されたエンジン水温が例えば７０℃を超えていない場合には、乾き補正制御解除条件が成立しない（ＮＯ）と判定してステップＳＣ１４を飛ばす。ステップＳＣ１４では、乾き補正制御を終わらせて乾き補正フラグＦ２を０とする。
【０１１４】
また、ステップＳＣ１でＮＯと判定されてイグニッションがＯＮ状態である場合に進んだステップＳＣ１５では、湿り補正フラグＦ１が１であるか否かを判定する。ステップＳＣ１５でＹＥＳと判定されて湿り補正フラグＦ１が１である場合には、ステップＳＣ５に進んで湿り補正制御解除条件判定処理を行う。一方、ステップＳＣ１５でＮＯと判定されて湿り補正フラグＦ１が０である場合には、ステップＳＣ１６に進む。
【０１１５】
ステップＳＣ１６では、乾き補正フラグＦ２が１であるか否かを判定する。ステップＳＣ１６でＹＥＳと判定されて乾き補正フラグＦ２が１である場合には、ステップＳＣ１２に進んで乾き補正制御解除条件判定処理を行う。一方、ステップＳＣ１６でＮＯと判定されて乾き補正フラグＦ２が０である場合には、エンドに進む。この露点温度補正制御は所定のタイミングで繰り返されている。
【０１１６】
（外気温度の変化による曇り抑制制御）
次に、外気温度の変化による曇り抑制制御について説明する。例えば、地下駐車場、立体駐車場、タワーパーキング、シャッター付き車庫等のように、外気とある程度遮断された駐車場に長時間駐車していた自動車を屋外へ移動した場合には、その移動に伴って外気温度が急激に低下することになる。このような場面では、実際のフロントウインドガラスＧの温度は急激に低下するが、フロントウインド近傍温湿度センサ３７の温度センサは見栄え等の観点からカバーで覆われていて車室内に露出しないように構成されているので、フロントウインドガラスＧの温度をリアルタイムで検出するのは難しい。よって、外気温度が急低下してフロントウインドガラスＧの温度が急低下しても、温度センサによるフロントウインドガラスＧの温度検出値の低下が緩やかになってしまうので、目標露点温度の低下も緩やかになり、目標露点温度が実際のフロントウインドガラスＧの温度よりも高くなり、その結果、露点温度が上昇してフロントウインドガラスＧが曇り易くなってしまうことが考えられる。この問題は、特に寒冷地で発生し易い傾向にある。
【０１１７】
これに対して、本実施形態では、制御装置３０は、外気温度センサ３１の検出結果に基づいて外気温度の変化を得て、外気温度の変化が所定の大きさを超えた場合には、外気温度の変化が所定の大きさ以下の場合に比べて、内気循環量の上限が低くなるように内外気切替アクチュエータ１１ｄを制御するように構成されている。具体的には、制御装置３０は、外気温度センサ３１の検出結果に基づいて外気温度低下率を算出し、算出した外気温度低下率が所定の閾値を超えた場合には、外気温度低下率が所定の閾値以下の場合に比べて、内気循環量の上限が低くなるように内外気切替アクチュエータ１１ｄを制御する。
【０１１８】
以下、図１０〜図１３に基づいて制御装置３０による曇り抑制制御について説明する。図１０のステップＳＤ１では現在外気温度平均値ＴａＡＶＥ（ｎ）を算出する。ステップＳＤ２では過去外気温度平均値ＴａＡＶＥ（ｎ−１）を算出する。車両のイグニッションがＯＦＦからＯＮにされた時点からの経過時間が第１所定時間（例えば１分）未満である場合には、その時間内の外気温度の平均値を現在外気温度平均値ＴａＡＶＥ（ｎ）とする。
【０１１９】
現在外気温度平均値ＴａＡＶＥ（ｎ）及び過去外気温度平均値ＴａＡＶＥ（ｎ−１）を算出する際には、上記第１所定時間よりも大幅に短い時間毎に外気温度を測定して記憶しておき、これら測定値を加算して測定回数で除算することにより得ることができる。例えば、第１所定時間を１分間とし、１秒毎に外気温度の測定結果を得た場合には、６０回分の測定結果を記憶することになる。この６０回分の測定値を全て加算した後、６０で除算することにより、外気温度平均値（現在外気温度平均値ＴａＡＶＥ（ｎ）または過去外気温度平均値ＴａＡＶＥ（ｎ−１））を得ることができる。原則的には、現在外気温度平均値ＴａＡＶＥ（ｎ）と、過去外気温度平均値ＴａＡＶＥ（ｎ−１）の算出方法は同じにすることができるが、次に述べる場合には、算出方法を変えることや、平均値ではない値を平均値であるとして例外的に使用することができる。
【０１２０】
例えば、車両のイグニッションがＯＦＦからＯＮにされた時点からの経過時間が第１所定時間（例えば１分）を超え、かつ、第１所定時間よりも長い第２所定時間（例えば２分）未満である場合には、第１所定時間内の外気温度の平均値を過去外気温度平均値ＴａＡＶＥ（ｎ−１）とする。また、車両のイグニッションがＯＦＦからＯＮにされた時点からの経過時間が第１所定時間（例えば１分）未満である場合には、車両のイグニッションがＯＦＦからＯＮにされた時点の外気温度を過去外気温度平均値ＴａＡＶＥ（ｎ−１）として使用することもできる。
【０１２１】
より具体的な例を図１１の表に示す。図１１の表の左の欄には、車両のイグニッションがＯＦＦからＯＮにされた時点から経過した時間を示しており、この例では２０秒毎に区切っている。図１１の表の中央の欄には、現在外気温度平均値ＴａＡＶＥ（ｎ）を算出する時間を示しており、車両のイグニッションがＯＦＦからＯＮにされた時点から６０秒（第１所定時間）を経過するまでは、現在外気温度平均値ＴａＡＶＥ（ｎ）を算出する時間が延びていき、それ以降は６０秒間を、現在外気温度平均値ＴａＡＶＥ（ｎ）を算出する時間としている。
【０１２２】
図１１の表の右の欄には、過去外気温度平均値ＴａＡＶＥ（ｎ−１）を算出する対象となる時間を示しており、車両のイグニッションがＯＦＦからＯＮにされた時点から６０秒（第１所定時間）を経過するまでは、車両のイグニッションがＯＦＦからＯＮにされた時点の外気温度を過去外気温度平均値ＴａＡＶＥ（ｎ−１）として使用する。車両のイグニッションがＯＦＦからＯＮにされた時点から６０秒（第１所定時間）を経過し、１２０秒（第２所定時間）を経過するまでは、過去外気温度平均値ＴａＡＶＥ（ｎ−１）を算出する時間が延びていき、それ以降は６０秒間を、過去外気温度平均値ＴａＡＶＥ（ｎ−１）を算出する時間としている。図１１の表は一例であり、第１所定時間及び第２所定時間を任意の時間に変更することが可能である。現在外気温度平均値ＴａＡＶＥ（ｎ）及び過去外気温度平均値ＴａＡＶＥ（ｎ−１）の算出順序は特に限定されるものではなく、どちらを先に算出してもよい。
【０１２３】
例えば、現在外気温度平均値ＴａＡＶＥ（ｎ）と過去外気温度平均値ＴａＡＶＥ（ｎ−１）との差が大きくなればなるほど外気温度が急激に低下していると推定され、また、現在外気温度平均値ＴａＡＶＥ（ｎ）と過去外気温度平均値ＴａＡＶＥ（ｎ−１）との差が小さくなればなるほど外気温度の変化が小さいと推定される。算出時に外気温度平均値を利用しているので、瞬間的な外気温度の変化が制御に反映されないようになる。
【０１２４】
図１０に示すフローチャートのステップＳＤ１及びステップＳＤ２で現在外気温度平均値ＴａＡＶＥ（ｎ）及び過去外気温度平均値ＴａＡＶＥ（ｎ−１）をそれぞれ算出した後、ステップＳＤ３に進む。ステップＳＤ３では、現在外気温度平均値ＴａＡＶＥ（ｎ）と過去外気温度平均値ＴａＡＶＥ（ｎ−１）との差に基づいて外気温度低下率ΔＴａを算出する。ΔＴａは、現在外気温度平均値ＴａＡＶＥ（ｎ）から過去外気温度平均値ＴａＡＶＥ（ｎ−１）を差し引くことによって得られ、算出式は次式（１）で示される。
【０１２５】
ΔＴａ＝ＴａＡＶＥ（ｎ）−ＴａＡＶＥ（ｎ−１）  …  （１）
図１１の表に示すように、現在外気温度平均値ＴａＡＶＥ（ｎ）は、現在から１分前までのＴａ（外気温度）の平均値とすることができ、また、過去外気温度平均値ＴａＡＶＥ（ｎ−１）は、１分前から２分前までのＴａ（外気温度）の平均値とすることができる。
【０１２６】
外気温度低下率ΔＴａを算出した後、図１０に示すステップＳＤ４では、外気温度低下率判定を行う。外気温度低下率判定では、外気温度の変化による曇り抑制制御を行うことが有効であるか、外気温度の変化による曇り抑制制御を行っても効果が期待できない（無効）かを判定する。図１０のステップＳＤ４に図示するように、外気温度低下率ΔＴａが−１．０℃を超えて−１．０℃よりも低温側へ行くと、外気温度の変化による曇り抑制制御が有効である判定する。つまり、外気温度の変化が所定の大きさを超えた場合には、外気温度の変化による曇り抑制制御が有効になる。尚、外気温度低下率ΔＴａがプラス側にあるときにはフロントウインドガラスＧが曇り難い状況にあると推定できるので、外気温度の変化による曇り抑制制御は無効とする。
【０１２７】
一方、外気温度の変化による曇り抑制制御が有効にある状態から、外気温度低下率ΔＴａが小さくなり、−０．５℃になると、外気温度の変化による曇り抑制制御が有効でないと判定する。つまり、外気温度の変化が小さい場合には、フロントウインドガラスＧが曇り難い状況にあると推定できるので、外気温度の変化による曇り抑制制御は無効とする。上記「−１．０」及び「−０．５」は一例であり、任意の値に変更することができる。
【０１２８】
ステップＳＤ５では、ステップＳＤ４で得られた結果が「有効」であるか否かを判定する。ステップＳＤ４で得られた結果が有効である場合にはステップＳＤ５でＹＥＳと判定されて図１２に示すフローチャートに進む。一方、ステップＳＤ４で得られた結果が無効である場合にはステップＳＤ５でＮＯと判定されて図１３に示すフローチャートに進む。
【０１２９】
図１２に示すフローチャートのステップＳＥ１では最高内気循環量規制制御の開始処理を行う。最高内気循環量（ＩＮＴｍａｘ）規制フラグを１にセットする。ＩＮＴｍａｘ規制フラグを１にセットした後、ステップＳＥ２に進む。
【０１３０】
ステップＳＥ２では最高内気循環量規制処理を行う。外気温度低下率ΔＴａが−１．０℃以上であれば、内外気切替ダンパ１１ｃの開度をΔＴａＡ（％）とし、外気温度低下率ΔＴａが−５．０℃以下であれば、内外気切替ダンパ１１ｃの開度をΔＴａＢ（％）とする。ΔＴａＡ（％）の上限（内気循環量の上限）は５０％となり、ΔＴａＢ（％）の上限（内気循環量の上限）は２０％となる。つまり、外気温度Ｔａの変化が所定の大きさを超えた場合には、外気温度Ｔａの変化が所定の大きさ以下の場合に比べて、内気循環量の上限が低くなる。また、ΔＴａＡ（％）の下限（内気循環量の下限）は３０％となり、ΔＴａＢ（％）の下限（内気循環量の下限）は０％となる。図１２のグラフに示すように、ΔＴａＡ（％）及びΔＴａＢ（％）は、外気温度Ｔａが高くなればなるほど大きくなるように設定されている。
【０１３１】
外気温度低下率ΔＴａが−５．０℃を超えかつ−１．０℃未満の場合には、図１２のグラフに示すように、外気温度低下率ΔＴａが大きくなればなるほど内気循環量の上限が低くなる。
【０１３２】
制御装置３０は、内外気混入モードが選択されているときに、フロントウインド近傍温湿度センサ３７で検出されたフロントウインドガラスＧの温度と、外気温度センサ３１により検出された外気温度との差が所定値未満である場合には、内気循環量が増えるように乾き補正制御を行う。
【０１３３】
また、ステップＳＥ３では、乾き補正フラグＦ２を０にセットし、上記乾き補正制御を禁止する処理を行う。ステップＳＥ４では、湿り補正フラグＦ１を１にセットする。ステップＳＥ５では、上記湿り補正制御を行う。制御装置３０は、内外気混入モードが選択されている場合、上述したように、フロントウインド近傍温湿度センサ３７で検出されたフロントウインドガラスＧの温度と、外気温度センサ３１により検出された外気温度との差が所定値以上であると、外気導入量が増えるように湿り補正制御を行う。
【０１３４】
図１３に示すフローチャートのステップＳＦ１では、ＩＮＴｍａｘ規制フラグが１であるか否かを判定する。ステップＳＦ１の前に、図１２に示すフローチャートのステップＳＥ１においてＩＮＴｍａｘ規制フラグが１にセットされている場合には、ステップＳＦ１でＹＥＳと判定されてステップＳＦ２に進む。ステップＳＦ２では、ＩＮＴｍａｘ規制フラグを０にセットする。また、ステップＳＦ１でＮＯと判定されてＩＮＴｍａｘ規制フラグが０である場合には、ステップＳＦ２の処理を飛ばす。
【０１３５】
ステップＳＦ３では、湿り補正フラグＦ１が１であるか否かを判定する。ステップＳＦ３の前に湿り補正制御が行われている場合には、ステップＳＦ３でＹＥＳと判定されてステップＳＦ４に進む。ステップＳＦ４では、湿り補正フラグＦ１を０にセットする。ステップＳＦ５では、上記湿り補正制御を解除する処理、即ち湿り補正制御を行わないようにする。一方、ステップＳＦ３で湿り補正フラグＦ１が０であり、ＮＯと判定された場合には、ステップＳＦ４及びステップＳＦ５の処理を飛ばす。
【０１３６】
（実施形態の作用効果）
以上説明したように、この実施形態に係る車両用空調装置１によれば、内外気混入モードが選択されているときには、フロントウインドガラスＧの曇り易さに基づいて外気導入量及び内気循環量が変更されるので、フロントウインドガラスＧが曇らない範囲で内気循環量を高めることが可能になり、これにより換気量が減少して暖房に要するエネルギ消費量が少なくなる。
【０１３７】
また、エンジン水温が低く且つ外気温度が低い時は、フロントウインド近傍温湿度センサ３７が低温で保冷されている状態と推定できる。そこからエンジンを始動すると、エンジン水温の上昇に伴ってデフロスタ吹出口２１から吹出す空気温度が上昇し、フロントウインドガラスＧの温度は急激に上昇するが、フロントウインド近傍温湿度センサ３７は低温で保冷されている状態で且つカバーで覆われているのでデフロスタ吹出口２１から吹出す温風が当たりにくく更に温度が上昇し難くなり、フロントウインド近傍温湿度センサ３７は実際のフロントウインドガラスＧの温度よりも低い温度を出力してしまうことが考えられる。
【０１３８】
この実施形態では、外気温度が所定温度以下の低外気時であり、かつ、エンジン水温が第１閾値以下で冷間始動時であることが検出された場合には、内気循環量が増えるように乾き補正処理を行うことができるので、フロントウインドガラスＧの温度の変化に対してフロントウインド近傍温湿度センサ３７が対応できないような状況であっても内気循環量を増やすことができる。
【０１３９】
また、フロントウインドガラス露点温度が低い時は乗員が少なく窓が曇り難く、フロントウインドガラス露点温度が高い時は乗員が多く窓が曇りやすくなることが考えられる。通常、フロントウインド近傍温湿度センサ３７がカバーと共に低温で保冷されている状態の時はフロントウインドガラス露点温度が低く、乗員の乗車後に露点温度が急激に上昇することになる。特に複数の乗員が一度に乗車した場合にはフロントウインドガラス露点温度の急激な上昇が顕著に現れる。一方、乗員数が少ない場合はフロントウインドガラス露点温度が上がりにくく窓も曇りにくいが、乗員数が多いとフロントウインドガラス露点温度が上がりやすく窓も曇りやすい。この実施形態では、乾き補正処理を行うことにより、フロントウインドガラス露点温度が低く窓が曇りにくい状況の時に内気循環量を増やすことができる。
【０１４０】
また、本実施形態では、車両のイグニッションがＯＦＦからＯＮにされたときにフロントウインドガラスＧ近傍の温度と外気温度との差が所定値以上（ステップＳＣ２でＹＥＳ）で、エンジン水温が低温である（ステップＳＣ３でＹＥＳ）場合に、ステップＳＣ４で湿り補正制御が行われる。この湿り補正制御では、図６に示すように湿り露点温度補正値（℃）として正の値を得る。そして、図３に示すフローチャートにおけるステップＳＡ３では、ステップＳＡ２で計算したフロントウインドガラス露点温度に、湿り露点温度補正値（℃）を加える。これにより、外気導入量が増える方向に制御されるので、フロントウインドガラスＧに曇りが発生するのが抑制される。
【０１４１】
また、例えば、冬季に、外気とある程度遮断された駐車場に長時間駐車していた車両を屋外へ移動した場合には、外気温度が急低下するのでフロントウインドガラスＧの温度が急低下する。このとき、フロントウインド近傍温湿度センサ３７はカバー等で覆われているで、フロントウインドガラスＧの温度が急低下しても、フロントウインド近傍温湿度センサ３７によるフロントウインドガラスＧの温度検出値の低下が緩やかになってしまい、その結果、目標露点温度の低下も緩やかになる。このため、目標露点温度が実際のフロントウインドガラスＧの温度よりも高くなって、露点温度が上昇し、フロントウインドガラスＧが曇り易くなってしまうおそれがある。
【０１４２】
この実施形態では、外気温度センサ３１によって外気温度の変化を得て、外気温度センサ３１で検出された外気温度の変化が所定の大きさを超えた場合には、外気温度の変化が所定の大きさ以下の場合に比べて、内気循環量の上限が低くなるように内外気切替アクチュエータ１１ｄを制御することができる。外気温度センサ３１は一般的に車室内の温度検出センサよりも温度変化を素早く検出できるので、外気温度が変化した場合にそのことが素早く得られる。外気温度の変化が大きいと、フロントウインドガラスＧの温度が急低下していると推定することができ、この場合に内気循環量の上限が低くなる、即ち、車室内の湿度の高い空気の循環量が少なくなるので、フロントウインドガラスＧの曇りが抑制される。
【０１４３】
また、外気温度低下率によって内気循環量の上限を設定することができる。この場合、外気温度低下率が大きいということは外気温度が急激に変化したと推定することができ、このときに内気循環量の上限を低くすることで、フロントウインドガラスＧの曇りが抑制される。
【０１４４】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【０１４５】
以上説明したように、本発明に係る車両用空調装置は、例えば自動車の車室内を空調する場合に使用することができる。
【符号の説明】
【０１４６】
１                  車両用空調装置
１１                送風ケーシング
１１ａ              外気導入口
１１ｂ              内気導入口
１１ｃ              内外気切替ダンパ
１１ｄ              内外気切替アクチュエータ（内外気切替ダンパ駆動手段）
３０                制御装置
３１                外気温度センサ（外気温度検出センサ）
３３                日射量センサ
３４                冷却水温センサ（エンジン水温検出手段）
３７                フロントウインド近傍温湿度センサ（窓ガラス温度検出センサ）
４１                車速センサ（車速検出手段）
４２                ワイパースイッチ
Ｇ                  フロントウインドガラス（窓ガラス）
【図１】
2019099045.tif 000003
【図２】
2019099045.tif 000004
【図３】
2019099045.tif 000005
【図４】
2019099045.tif 000006
【図５】
2019099045.tif 000007
【図６】
2019099045.tif 000008
【図７】
2019099045.tif 000009
【図８】
2019099045.tif 000010
【図９】
2019099045.tif 000011
【図１０】
2019099045.tif 000012
【図１１】
2019099045.tif 000013
【図１２】
2019099045.tif 000014
【図１３】
2019099045.tif 000015